(57)【要約】【課題】外観上の意匠性や装飾性に優れ、アロマオイルの残量が明瞭に表示され、アロマオイルの揮発量のコントロールが容易であり、アロマオイルの切り替えによる芳香の選択が可能な照明装置を提供することにある。【解決手段】導光レンズ４０の平板導光部４１のレンズカットが施された上面４１ａ、ＬＥＤ収容部４４の外側面４４ａ、傾斜導光部４２の内周面４２ａ、隣り合う仕切壁４５の互いに対向する側の側面及びカバー５０の内面によって、区画４６ａ〜４６ｈ毎に閉空間からなる区画室６０（６０ａ〜６０ｈ）を形成し、互いに電気的に接続された、区画４６ａ〜４６ｈの夫々の方向に光出射面２ａを向けた複数のＬＥＤ２と、区画４６ａ〜４６ｈの夫々の直下に位置する複数の加熱抵抗３を備え、区画室６０ａ〜６０ｈのうちの適宜な箇所にアロマオイル４を充填する。【選択図】図２
2015159074.tif 000002
【特許請求の範囲】
【請求項１】
光出射方向が側方を向くＬＥＤと、
前記ＬＥＤの側方に位置する、上面を凹凸面とすると共に下面に光反射部材からなるデザインパターンが着設されてなる平板導光部と、該平板導光部を底部とする凹部を有する導光レンズとを備え、
前記凹部は、屈折率が前記導光レンズと同一あるいは近似した透光性の液体を収容するものであり、
前記凹部内に、前記液体があるときは、前記ＬＥＤから出射して前記導光レンズの前記平板導光部内を導光されて前記デザインパターンに達した光が、該デザインパターンで反射してそのデザインパターン形状の反射光が前記平板導光部内及び前記液体内を順次直進して外部上方に向けて出射し、
前記凹部内に前記液体がなくなったときは、前記ＬＥＤから出射して前記導光レンズの前記平板導光部内を導光されて前記凹凸面に達した光が、該凹凸面で屈折してその屈折光が外部上方に向けて出射することを特徴とする照明装置。
【請求項２】
前記凹部は前記平板導光部を区画して形成された複数からなることを特徴とする請求項１に記載の照明装置。
【請求項３】
前記導光レンズは、その凹部の底部が異なるＬＥＤからの出射光を導光するように移動可能に配置されていることを特徴とする請求項２に記載の照明装置。
【請求項４】
前記導光レンズの下方には前記デザインパターンを挟んで、上面にＬＥＤが実装され下面に加熱抵抗が実装されてなる基板が配置され、前記加熱抵抗は前記凹部の直下に位置すると共に該凹部の底部に光出射方向を向けたＬＥＤと電気的に接続されていることを特徴とする請求項１〜請求項３のいずれかに記載の照明装置。
【請求項５】
前記平板導光部の前記ＬＥＤと反対側には、該平板導光部の周縁部から該周縁部に沿って外側に向かって立ち上がる傾斜導光部が設けられていると共に、該傾斜導光部の外周面に沿って、下部に凹凸面を有する光反射部材が着設されており、
前記凹部内の液体が前記傾斜導光部の上部まで満たされているときは、前記ＬＥＤから出射して前記平板導光部内及び前記液体内を順次直進して該液体の表面に達した光が、該表面で内部反射してその反射光が前記傾斜導光部の上部を透過して前記光反射部材に達し、該光反射部材で反射した反射光が外部上方に向けて出射し、
前記凹部内の液体が前記傾斜導光部の上面まで満たされていないときは、前記ＬＥＤから出射して前記平板導光部内及び前記液体内を順次直進して該液体の表面に達した光が、該表面で内部反射してその反射光が前記傾斜導光部の下部を透過して前記凹凸面からなる前記光反射部材に達し、該光反射部材で反射した反射光がほぼＬＥＤ方向に戻ることを特徴とする請求項１〜請求項４のいずれかに記載の照明装置。
【請求項６】
光出射方向が側方を向くＬＥＤと、
前記ＬＥＤの側方に位置する、上面を平坦面とすると共に下面に光反射部材からなるデザインパターンが着設されてなる平板導光部と、該平板導光部を底部とする凹部を有する導光レンズと、
前記凹部の底部に配置された複数の透光性のビーズ部材とを備え、
前記凹部は、屈折率が前記導光レンズと同一あるいは近似した透光性の液体を収容するものであり、
前記凹部内に、前記液体があるときは、前記ＬＥＤから出射して前記導光レンズの前記平板導光部内を導光されて前記デザインパターンに達した光が、該デザインパターンで反射してそのデザインパターン形状の反射光が前記平板導光部内、前記ビーズ部材内及び前記液体内を順次直進して外部上方に向けて出射し、
前記凹部内に前記液体がなくなったときは、前記ＬＥＤから出射して前記導光レンズの前記平板導光部内及び前記ビーズ部材内を導光されて前記ビーズ部材の表面の凹凸面に達した光が、該凹凸面で屈折してその屈折光が外部上方に向けて出射することを特徴とする照明装置。
【請求項７】
前記凹部は前記平板導光部を区画して形成された複数からなることを特徴とする請求項６に記載の照明装置。
【請求項８】
前記導光レンズは、その凹部の底部が異なるＬＥＤからの出射光を導光するように移動可能に配置されていることを特徴とする請求項７に記載の照明装置。
【請求項９】
前記導光レンズの下方には前記デザインパターンを挟んで、上面にＬＥＤが実装され下面に加熱抵抗が実装されてなる基板が配置され、前記加熱抵抗は前記凹部の直下に位置すると共に該凹部の底部に光出射方向を向けたＬＥＤと電気的に接続されていることを特徴とする請求項６〜請求項８のいずれかに記載の照明装置。
【請求項１０】
前記平板導光部の前記ＬＥＤと反対側には、該平板導光部の周縁部から該周縁部に沿って外側に向かって立ち上がる傾斜導光部が設けられていると共に、該傾斜導光部の外周面に沿って、下部に凹凸面を有する光反射部材が着設されており、
前記凹部内の液体が前記傾斜導光部の上部まで満たされているときは、前記ＬＥＤから出射して前記平板導光部内、前記ビーズ部材内及び前記液体内を順次直進して該液体の表面に達した光が、該表面で内部反射してその反射光が前記傾斜導光部の上部を透過して前記光反射部材に達し、該光反射部材で反射した反射光が外部上方に向けて出射し、
前記凹部内の液体が前記傾斜導光部の上面まで満たされていないときは、前記ＬＥＤから出射して前記平板導光部内、前記ビーズ部材内及び前記液体内を順次直進して該液体の表面に達した光が、該表面で内部反射してその反射光が前記傾斜導光部の下部を透過して前記凹凸面からなる前記光反射部材に達し、該光反射部材で反射した反射光がほぼＬＥＤ方向に戻ることを特徴とする請求項６〜請求項９のいずれかに記載の照明装置。
【発明の詳細な説明】
【技術分野】
【０００１】
本発明は、照明装置に関するものであり、詳しくは、芳香剤（アロマオイル）の残量検知及び残量表示を光学的に行う構成を有する照明装置に関する。
【背景技術】
【０００２】
従来の芳香器には、例えば、特許文献１に「アロマ芳香器」として開示された構成のものがある。
【０００３】
それは、図１２に示すように、液晶ディスプレイモニターの筐体８０に、芳香剤（アロマオイル）を染み込ませた多孔質物質８１を入れたアルミニウム製のケース８２を取り付け、液晶ディスプレイモニターの動作時の発熱による余熱によって多孔質物質８１に染み込ませた芳香剤が揮発して芳香を発生するものである。
【先行技術文献】
【特許文献】
【０００４】
【特許文献１】特開２０１１−１６７４７８号公報
【発明の概要】
【発明が解決しようとする課題】
【０００５】
ところで、上記構成のアロマ芳香器は、液晶ディスプレイモニターの背面に取り付けられて液晶ディスプレイモニターの付属品として備えられたものであり、アロマ芳香器自体の意匠性については殆ど考慮されていない。また、アロマオイルの残量表示がなく、アロマオイルの適切な補充時期が把握できない。また、アロマオイルの揮発が液晶ディスプレイモニターの動作時の発熱によるものであるため、揮発量のコントロールができない。さらに、アロマ芳香器で得られる芳香はアロマ芳香器の構造上、多孔質物質８１に染み込ませたアロマオイルによる芳香に限られるものであり、芳香の異なる複数種のアロマオイルをセットしてそのなかから適宜な種類のアロマオイルを選んで所望の芳香を得るといった、アロマオイルの切り替え使用による芳香の選択は不可能である。
【０００６】
そこで、本発明は上記問題に鑑みて創案されたものであり、その目的とするところは、外観上の意匠性や装飾性に優れ、アロマオイルの残量が明瞭に表示され、アロマオイルの揮発量のコントロールが容易であり、アロマオイルの切り替えによる芳香の選択が可能な照明装置を提供することにある。
【課題を解決するための手段】
【０００７】
上記課題を解決するために、本発明の請求項１に記載された発明は、光出射方向が側方を向くＬＥＤと、前記ＬＥＤの側方に位置する、上面を凹凸面とすると共に下面に光反射部材からなるデザインパターンが着設されてなる平板導光部と、該平板導光部を底部とする凹部を有する導光レンズとを備え、前記凹部は、屈折率が前記導光レンズと同一あるいは近似した透光性の液体を収容するものであり、前記凹部内に、前記液体があるときは、前記ＬＥＤから出射して前記導光レンズの前記平板導光部内を導光されて前記デザインパターンに達した光が、該デザインパターンで反射してそのデザインパターン形状の反射光が前記平板導光部内及び前記液体内を順次直進して外部上方に向けて出射し、前記凹部内に前記液体がなくなったときは、前記ＬＥＤから出射して前記導光レンズの前記平板導光部内を導光されて前記凹凸面に達した光が、該凹凸面で屈折してその屈折光が外部上方に向けて出射することを特徴とするものである。
【０００８】
また、本発明の請求項２に記載された発明は、請求項１において、前記凹部は前記平板導光部を区画して形成された複数からなることを特徴とするものである。
【０００９】
また、本発明の請求項３に記載された発明は、請求項２において、前記導光レンズは、その凹部の底部が異なるＬＥＤからの出射光を導光するように移動可能に配置されていることを特徴とするものである。
【００１０】
また、本発明の請求項４に記載された発明は、請求項１〜請求項３のいずれかにおいて、前記導光レンズの下方には前記デザインパターンを挟んで、上面にＬＥＤが実装され下面に加熱抵抗が実装されてなる基板が配置され、前記加熱抵抗は前記凹部の直下に位置すると共に該凹部の底部に光出射方向を向けたＬＥＤと電気的に接続されていることを特徴とするものである。
【００１１】
また、本発明の請求項５に記載された発明は、請求項１〜請求項４のいずれかにおいて、前記平板導光部の前記ＬＥＤと反対側には、該平板導光部の周縁部から該周縁部に沿って外側に向かって立ち上がる傾斜導光部が設けられていると共に、該傾斜導光部の外周面に沿って、下部に凹凸面を有する光反射部材が着設されており、前記凹部内の液体が前記傾斜導光部の上部まで満たされているときは、前記ＬＥＤから出射して前記平板導光部内及び前記液体内を順次直進して該液体の表面に達した光が、該表面で内部反射してその反射光が前記傾斜導光部の上部を透過して前記光反射部材に達し、該光反射部材で反射した反射光が外部上方に向けて出射し、前記凹部内の液体が前記傾斜導光部の上面まで満たされていないときは、前記ＬＥＤから出射して前記平板導光部内及び前記液体内を順次直進して該液体の表面に達した光が、該表面で内部反射してその反射光が前記傾斜導光部の下部を透過して前記凹凸面からなる前記光反射部材に達し、該光反射部材で反射した反射光がほぼＬＥＤ方向に戻ることを特徴とするものである。
【００１２】
また、本発明の請求項６に記載された発明は、光出射方向が側方を向くＬＥＤと、前記ＬＥＤの側方に位置する、上面を平坦面とすると共に下面に光反射部材からなるデザインパターンが着設されてなる平板導光部と、該平板導光部を底部とする凹部を有する導光レンズと、前記凹部の底部に配置された複数の透光性のビーズ部材とを備え、前記凹部は、屈折率が前記導光レンズと同一あるいは近似した透光性の液体を収容するものであり、  前記凹部内に、前記液体があるときは、前記ＬＥＤから出射して前記導光レンズの前記平板導光部内を導光されて前記デザインパターンに達した光が、該デザインパターンで反射してそのデザインパターン形状の反射光が前記平板導光部内、前記ビーズ部材内及び前記液体内を順次直進して外部上方に向けて出射し、前記凹部内に前記液体がなくなったときは、前記ＬＥＤから出射して前記導光レンズの前記平板導光部内及び前記ビーズ部材内を導光されて前記ビーズ部材の表面の凹凸面に達した光が、該凹凸面で屈折してその屈折光が外部上方に向けて出射することを特徴とするものである。
【００１３】
また、本発明の請求項７に記載された発明は、請求項６において、前記凹部は前記平板導光部を区画して形成された複数からなることを特徴とするものである。
【００１４】
また、本発明の請求項８に記載された発明は、請求項７において、前記導光レンズは、その凹部の底部が異なるＬＥＤからの出射光を導光するように移動可能に配置されていることを特徴とするものである。
【００１５】
また、本発明の請求項９に記載された発明は、請求項６〜請求項８のいずれかにおいて、前記導光レンズの下方には前記デザインパターンを挟んで、上面にＬＥＤが実装され下面に加熱抵抗が実装されてなる基板が配置され、前記加熱抵抗は前記凹部の直下に位置すると共に該凹部の底部に光出射方向を向けたＬＥＤと電気的に接続されていることを特徴とするものである。
【００１６】
また、本発明の請求項１０に記載された発明は、請求項６〜請求項９のいずれかにおいて、  前記平板導光部の前記ＬＥＤと反対側には、該平板導光部の周縁部から該周縁部に沿って外側に向かって立ち上がる傾斜導光部が設けられていると共に、該傾斜導光部の外周面に沿って、下部に凹凸面を有する光反射部材が着設されており、前記凹部内の液体が前記傾斜導光部の上部まで満たされているときは、前記ＬＥＤから出射して前記平板導光部内、前記ビーズ部材内及び前記液体内を順次直進して該液体の表面に達した光が、該表面で内部反射してその反射光が前記傾斜導光部の上部を透過して前記光反射部材に達し、該光反射部材で反射した反射光が外部上方に向けて出射し、前記凹部内の液体が前記傾斜導光部の上面まで満たされていないときは、前記ＬＥＤから出射して前記平板導光部内、前記ビーズ部材内及び前記液体内を順次直進して該液体の表面に達した光が、該表面で内部反射してその反射光が前記傾斜導光部の下部を透過して前記凹凸面からなる前記光反射部材に達し、該光反射部材で反射した反射光がほぼＬＥＤ方向に戻ることを特徴とするものである。
【発明の効果】
【００１７】
本発明の照明装置は、導光レンズが、上面を凹凸面とすると共に下面に光反射部材からなるデザインパターンが着設されてなる平板導光部を有すると共に該平板導光部を底部とする凹部を有し、凹部内に液体があるときは、ＬＥＤから出射して平板導光部内を導光された光が、デザインパターンで反射してそのデザインパターン形状の反射光が平板導光部内及び液体内を順次直進して外部上方に向けて出射し、凹部内に液体がなくなったときは、ＬＥＤから出射して平板導光部内を導光された光が、凹凸面で屈折してその屈折光が外部上方に向けて出射する。これにより、外観上の意匠性や装飾性に優れ、液体の残量が明瞭に表示される。
【００１８】
また、凹部を複数設けて異なる凹部に異なる液体を充填することにより、同時に異なる液体を揮発させることができる。
【００１９】
また、各凹部の下方に加熱抵抗を配置し、回動可能に配設した導光レンズを回動して液体が充填された凹部を、通電中(発熱中)の加熱抵抗上と非通電中（非発熱中）の加熱抵抗上に適宜に移動することにより、液体のアロマオイルの揮発量をコントロールすることができる。
【図面の簡単な説明】
【００２０】
【図１】実施形態の照明装置の平面図である。
【図２】図１のＡ−Ａ断面図である。
【図３】導光レンズの断面図である。
【図４】照明装置の平面図である。
【図５】図４のＢ−Ｂ断面図である。
【図６】照明装置の平面図である。
【図７】図６のＣ−Ｃ断面図である。
【図８】照明装置の平面図である。
【図９】図８のＤ−Ｄ断面図である。
【図１０】照明装置の平面図である。
【図１１】他の実施形態の断面図である。
【図１２】従来例の説明図である。
【発明を実施するための形態】
【００２１】
以下、この発明の好適な実施形態を図１〜図１０を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００２２】
図１は実施形態の照明装置の平面図、図２は図１のＡ−Ａ断面図、図３は導光レンズの断面図である。
【００２３】
照明装置１は、下方から順にケース１０、電子部品実装基板（以下、「基板」と略称する）２０、反射シート３０、導光レンズ４０、カバー５０で構成されている。
【００２４】
ケース１０は、略平板状の底部１１と、底部１１の周縁部から該周縁部に沿って外側に向かって立ち上がる傾斜側壁部１２を有すると共に、底部１１と傾斜側壁部１２で囲まれた、開口１３を有する凹部１４を備えた円形皿状を呈している。傾斜側壁部１２の内周面１２ａは上部１２ａａが平坦面状の光反射面からなり、下部１２ａｂは側方（凹部１４方向）を向くカット面からなる光反射面を有している（図３参照）。
【００２５】
基板２０は、一方の面の中央部に光源（本実施形態においてはＬＥＤを使用、以下、「ＬＥＤ」と呼称する）２が実装され、他方の面には中央部を中心とした円上に等角度間隔で複数箇所（本実施形態においては８箇所）に加熱抵抗３が実装されている。この加熱抵抗３は、ＬＥＤ２の駆動（点灯）時にＬＥＤ２に通電する通電電流を制限する電流制限抵抗の機能も有しており、１箇所に複数個実装される場合もある。
【００２６】
ＬＥＤ２は、例えば、所謂サイドビュータイプのものが複数個（本実施形態においては８個）用いられ、夫々の光出射面２ａが互いに等角度で放射方向を向くように配置されている。
【００２７】
上記構成の基板２０は、ケース１０の凹部１４内の底部１１上方に、ＬＥＤ２の実装面を凹部１４の開口１３方向に向けて配設されている。
【００２８】
基板２０の、ＬＥＤ２の実装面上には反射シート３０を挟んで導光レンズ４０が配置されている。反射シート３０は、導光レンズ４０側の面（上面）３０ａに、光反射部材による文字、図形、記号、番号、絵柄等からなるデザインパターン３０ｂが形成されている。
【００２９】
導光レンズ４０は、略平板円環状の導光部（平板導光部）４１と、平板導光部４１の周縁部から該周縁部に沿って外側に向かって立ち上がる導光部（傾斜導光部）４２と、中央部に位置し、平板導光部４１から突出して内部にＬＥＤ２を収容する凹部４３を備えた円筒状のＬＥＤ収容部４４を有している。
【００３０】
導光レンズ４０の傾斜導光部４２の外周面４２ｄの上部４２ｄａと、ケース１０の傾斜側壁部１２の内周面１２ａの上部１２ａａは、全周に亘って面接触している。
【００３１】
導光レンズ４０の平板導光部４１は、ＬＥＤ収容部４４の外側面４４ａと傾斜導光部４２の内周面４２ａを繋ぐ複数の仕切壁４５が互いに等角度で略放射状に設けられており、仕切壁４５によって複数の区画４６（４６ａ〜４６ｈ）に仕切られた上面４１ａには、夫々の区画４６ａ〜４６ｈ毎にレンズカットが施されている。このレンズカットは、ＬＥＤ２２から出射して平板導光部４１内を導光された光を上方に向けるようなカットが施されている。
【００３２】
導光レンズ４０の平板導光部４１の基板２０側の面（下面）には反射シート３０が取り付けられており、各区画４６ａ〜４６ｈに対応する位置に適宜なデザインパターン３０ｂが位置している。
【００３３】
夫々の区画４６ａ〜４６ｈの上方には、区画４６ａ〜４６ｈ毎に透光性部材からなるカバー５０が設けられている。各カバー５０は、周縁部５０ａの全周が、導光レンズ４０のＬＥＤ収容部４４の上面周縁部４４ｂ、傾斜側壁部１２の上端部１２ｃ及び隣り合う仕切壁４５の夫々の上端面４５ａに、開閉自在に密接している。
【００３４】
つまり、導光レンズ４０の平板導光部４１、ＬＥＤ収容部４４の外側面４４ａ、傾斜導光部４２の内周面４２ａ、隣り合う仕切壁４５の互いに対向する側の側面及びカバー５０の内面によって、区画４６ａ〜４６ｈ毎に閉空間からなる区画室６０（６０ａ〜６０ｈ）が形成されている。
【００３５】
なお、基板２０の中央部に、夫々の光出射面２ａが互いに等角度で放射方向を向くように配置された複数のＬＥＤ２は、具体的には、夫々の光出射面２ａが各区画４６ａ〜４６ｈの方向に向いており、同時に、基板２０の、中央部を中心とした円上に等角度間隔で配置された加熱抵抗（電流制限抵抗でもある）３は、具体的には、夫々が各区画４６ａ〜４６ｈの直下に位置している。
【００３６】
また、光出射面２ａを、区画４６ａ〜４６ｈの１つの方向に向けたＬＥＤ２と、その区画４６の直下に位置する加熱抵抗３は直列接続された回路構成となっている。
【００３７】
次に、上記構成の照明装置１の光学的な動作とその作用について、図４〜図９を参照して説明する。
【００３８】
まず、予め、８個ある区画４６ａ〜４６ｈの各カバー５０を開けて、区画された夫々の区画室６０ａ〜６０ｈ（カバー５０を閉じると閉空間になる）に所望の液体（アロマオイル４）を充填し、カバー５０を閉じる。このとき、アロマオイル４は必ずしも全ての区画室６０ａ〜６０ｈに充填する必要はない。
【００３９】
なお、以下の説明においては、区画室６０ａのみにアロマオイル４を充填した場合を想定する。
【００４０】
次に、所望のアロマオイル４が十分に充填された区画室６０ａに光出射面２ａを向けたＬＥＤ２、及び該ＬＥＤ２に直列接続された、該区画室６０ａの直下に位置する加熱抵抗（電流制限抵抗）３に電圧を印加して駆動電流を通電する。
【００４１】
このとき（以下、図４（照明装置の平面図）及び図５（図４のＢ−Ｂ断面図）参照）、導光レンズ４０の平板導光部４１の、区画４６ａ内に位置する上面４１ａは、レンズカットの凹凸がアロマオイル４で埋められている。そのため、界面を形成する、導光レンズ４０とアロマオイル４の互いの屈折率が同一あるいは近似していると、両者を実質的に、光学的に均質な連続体とみなすことができる。またアロマオイル４は導光レンズ４０の傾斜導光部４２の内周面４２ａの上部４２ａａまで満たされているものとする。
【００４２】
そのため、ＬＥＤ２から出射した光は主に、導光レンズ４０の平板導光部４１内を導光されて反射シート３０の上面３０ａに達する光Ｌ１、同じく、導光レンズ４０の平板導光部４１内を導光されてケース１０の傾斜側壁部１２の内周面１２ａの下部１２ａｂに達する光Ｌ２、導光レンズ４０の平板導光部４１内及びアロマオイル４内を順次ほぼ直進して導光レンズ４０の傾斜導光部４２を透過してケース１０の傾斜側壁部１２の内周面１２ａの上部１２ａａに達する光Ｌ３、及び、導光レンズ４０の平板導光部４１内あるいはＬＥＤ収容部４４内からアロマオイル４内を順次ほぼ直進してアロマオイル４の上面４ａに達する光Ｌ４に分かれる。
【００４３】
そのうち、反射シート３０の上面３０ａに達した光Ｌ１は、一部が該上面３０ａに光反射部材で形成されたデザインパターン３０ｂで反射されてその反射光Ｌ１Ｒが導光レンズ４０の平板導光部４１内及びアロマオイル４内を順次ほぼ直進してカバー５０を介して外部に出射される。
【００４４】
また、ケース１０の傾斜側壁部１２の内周面１２ａの下部１２ａｂに達した光Ｌ２は、該下部１２ａｂに設けられたＬＥＤ２側を向くカット面で反射されてその反射光Ｌ２Ｒが導光レンズ４０の平板導光部４１内を導光されてＬＥＤ２側に戻る。
【００４５】
また、ケース１０の傾斜側壁部１２の内周面１２ａの上部１２ａａに達した光Ｌ３は、該上部１２ａａで反射されてその反射光Ｌ３Ｒがカバー５０を介して外部に出射される。
【００４６】
更に、アロマオイル４の上面４ａに達した光Ｌ４は、該上面４ａで内部反射（全反射）してその反射光Ｌ４Ｒがアロマオイル４内に戻って導光レンズ４０の傾斜導光部４２内を導光されてケース１０の傾斜側壁部１２の内周面１２ａの上部１２ａａに達し、該内周面で反射されてその反射光がカバー５０を介して外部に出射される。
【００４７】
そこで、照明装置１をカバー５０の前方方向から見ると、区画４６ａに位置するカバー５０を通して、反射シート３０のデザインパターン３０ｂで反射された反射光Ｌ１Ｒによるデザインパターン３０ｂが表れ、ケース１０の傾斜側壁部１２の内周面１２ａの円環状の上部１２ａａで反射された反射光Ｌ３Ｒ及びＬ４Ｒによる円弧線状パターン１２ｂが表れる。したがって、デザインパターン３０ｂと円弧線状パターン１２ｂが同時に視認できる場合は、その区画４６ａの区画室６０ａ内に充填されたアロマオイル４は区画室６０ａ内に十分満たされた状態にあることが認識できる。
【００４８】
このとき、区画室６０ａ内に充填されたアロマオイル４は、ＬＥＤ２の通電電流による加熱抵抗３の発熱により加熱されてアロマオイル４の揮発が促進され、十分な芳香を得ることはできる。
【００４９】
この照明装置１の使用によって（以下、図６（照明装置の平面図）及び図７（図６のＣ−Ｃ断面図）参照）、区画室６０ａ内のアロマオイル４の量が減少して液位が、導光レンズ４０の傾斜導光部４２の内周面４２ａの上部４２ａａから下部４２ａｂまで下がって該上部４２ａａが空気中に露出した状態になると、上述のような、区画室６０ａ内に十分な量のアロマオイル４ａが充填された状態における光学的な動作に対して、一部異なる動作が生じる。
【００５０】
具体的には、ＬＥＤ２から出射して、導光レンズ４０の平板導光部４１内を導光されて反射シート３０の上面３０ａに達する光Ｌ１は、一部が該上面３０ａに光反射部材で形成されたデザインパターン３０ｂで反射されてその反射光Ｌ１Ｒが導光レンズ４０の平板導光部４１内及びアロマオイル４内を順次ほぼ直進してカバー５０介して外部に出射される。
【００５１】
また、導光レンズ４０の平板導光部４１内を導光されてケース１０の傾斜側壁部１２の内周面１２ａの下部１２ａｂに達する光Ｌ２は、該下部１２ａｂに設けられたＬＥＤ２側を向くカット面で反射されてその反射光Ｌ２Ｒが導光レンズ４０の平板導光部４１内を導光されてＬＥＤ２側に戻る。
【００５２】
上記、光ＬＥＤ２からの出射光Ｌ１、Ｌ２は、区画室６０ａ内に十分な量のアロマオイル４ａが充填された状態と変わらない光路を辿る。
【００５３】
それに対し、ＬＥＤ２から出射して、導光レンズ４０の平板導光部４１内及びアロマオイル４内を順次ほぼ直進する光Ｌ３、及び導光レンズ４０の平板導光部４１内あるいはＬＥＤ収容部４４内からアロマオイル４内を順次ほぼ直進してアロマオイル４の上面４ａに達する光Ｌ４は、いずれもアロマオイル４の上面４ａで内部反射（全反射）してその反射光Ｌ３Ｒ、Ｌ４Ｒがアロマオイル４内に戻って導光レンズ４０の傾斜導光部４２内を導光されてケース１０の傾斜側壁部１２の内周面１２ａの下部１２ａｂに達し、該下部１２ａｂに設けられたＬＥＤ２側を向くカット面で反射されてその導光レンズ４０の平板導光部４１内を導光されてＬＥＤ２側に戻る。
【００５４】
そこで、照明装置１をカバー５０の前方方向から見ると、区画４６ａに位置するカバー５０を通して、反射光Ｌ１Ｒによるデザインパターン３０ｂが表れ、アロマオイル４が十分満たされた状態のときに表れていた、反射光Ｌ３Ｒによる円弧線状パターン１２ｂが消える。
【００５５】
これにより、デザインパターン３０ｂのみが視認できる場合は、その区画４６ａの区画室６０ａ内に充填されたアロマオイル４の量が少なくなったことが認識できる。
【００５６】
また（以下、図８（照明装置の平面図）及び図９（図８のＤ−Ｄ断面図）参照）、区画室６０ａ内のアロマオイル４が更に減少して区画室６０ａ内にアロマオイル４がなくなると、導光レンズ４０の平板導光部４１の、レンズカットが施された上面４１ａが露出した状態となる。
【００５７】
すると、ＬＥＤ２からの出射光は、導光レンズ４０の平板導光部４１内を導光されて反射シート３０の上面３０ａに達する光Ｌ１、導光レンズ４０の平板導光部４１内を導光されて平板導光部４１の上面４１ａに向かう光Ｌ２１、及び、導光レンズ４０の平板導光部４１内を導光されてケース１０の傾斜側壁部１２の内周面１２ａの下部１２ａｂに向かう光Ｌ２２に分かれる。
【００５８】
そのうち、反射シート３０の上面３０ａに達した光Ｌ１は、一部が該上面３０ａに光反射部材で形成されたデザインパターン３０ｂで反射されてその反射光Ｌ１Ｒが導光レンズ４０の平板導光部４１内を該平板導光部４１の上面４１ａに向けて導光される。
【００５９】
また、導光レンズ４０の平板導光部４１内を導光されて平板導光部４１の上面４１ａに向かう光Ｌ２１は、該上面４１ａに施されたレンズカット面で屈折されてその屈折光Ｌ２１Ｄが上方のカバー５０に向けて出射される。
【００６０】
また、導光レンズ４０の平板導光部４１内を導光されてケース１０の傾斜側壁部１２の内周面１２ａの下部１２ａｂに向かう光Ｌ２２は、該下部１２ａｂに設けられた、側方を向く光反射面で反射されてその反射光Ｌ２２Ｒがほぼ元の方向（側方）に戻される
【００６１】
そこで、照明装置１をカバー５０の前方方向から見ると、区画４６ａに位置するカバー５０を通して表れていたデザインパターン３０ｂ及び円弧線状パターン１２ｂが消え、区画４６ａのカバー５０全面を通して屈折光Ｌ２１Ｄが確認される。
【００６２】
このとき、反射シート３０のデザインパターン３０ｂで反射されて導光レンズ４０の平板導光部４１内を該平板導光部４１の上面４１ａに向けて導光された反射光Ｌ１Ｒは、該上面４１ａのレンズカット面で屈折及び全反射されて上方のカバー５０に向けて出射する光が抑制される。これにより、カバー５０からの出射光は屈折光Ｌ２１Ｄによるものが殆どであり、反射光Ｌ１Ｒによるデザインパターン３０ｂは殆ど認められない。
【００６３】
なお、上述した照明装置の構成を基本構成とし、以下のような応用例も考えられる。
【００６４】
それは、異なる区画室内に異なる種類のアロマオイルを充填して夫々の下方に位置する加熱抵抗に給電（同時にＬＥＤも点灯する）することにより、同時に異なるアロマオイルの揮発による芳香を得ることができる。
【００６５】
具体的には（以下、図１０（照明装置の平面図）参照）、反射シート３０の上面３０ａに夫々デザインパターン３０ｂ、３０ｃが形成された区画４６ａ、４６ｃの区画室６０ａ、６０ｃ内に異なる種類のアロマオイル４を充填する。アロマオイル４が夫々の区画室６０ａ、６０ｃ内に十分に充満たされた状態にあるときは、照明装置１をカバー５０の前方方向から見ると、区画４６ａ上にデザインパターン３０ｂと円弧線状パターン１２ｂが表れ、区画４６ｃ上にデザインパターン３０ｃと円弧線状パターン１２ｂが表れる。
【００６６】
また、反射シートが取り付けられた導光レンズを回動可能に配設し、導光レンズを回動してアロマオイルを充填した区画を、通電中(発熱中)の加熱抵抗上と非通電中（非発熱中）の加熱抵抗上に適宜に移動することにより、アロマオイルの揮発量をコントロールして適度な芳香を得ることができる。
【００６７】
なお、ケース１０の傾斜側壁部１２の内周面１２ａの下部４２ａｂに設けられた、ＬＥＤ２側を向くカット面は、必ずしもこれに限られるものではなく、ＬＥＤ２から出射して導光レンズ４０の平板導光部４１内を導光された光が上方に向かうのを防止できればよく、無反射面あるいは光拡散面等の適宜な面でもよい。
【００６８】
ところで、図１１は他の実施形態を示す断面図である。本実施形態は上述の実施形態において、仕切壁４５によって複数の区画４６（４６ａ〜４６ｈ）に仕切られた導光レンズ４０の平板導光部４１の上面４１ａに施されたレンズカットの代わりに、該上面４１ａを平坦面としてその平坦面上に複数の透光性のビーズ部材５を配置したものである。
【００６９】
ビーズ部材５は、導光レンズ４０及び区画室６０（６０ａ〜６０ｈ）内に充填するアロマオイル４に対して屈折率が同一あるいは近似している。
【００７０】
ビーズ５同士の隙間及びビーズ５と平板導光部４１の上面４１ａとの隙間は、導光レンズ４０、アロマオイル４及びビーズ５に対して屈折率が同一あるいは近似した透明部材によって満たされており、ビーズ５の上面５ａはビーズ５の凹凸が形成されている。
【００７１】
これにより、ビーズ５の上面５ａの凹凸が、上述の実施形態における平板導光部４１の上面４１ａのレンズカットによる凹凸と同様な光学的な作用に働く。
【００７２】
以上説明したように、本発明の照明装置は従来の照明装置に対して、アロマオイルの残量の検知及び表示を光学的に行うことにより、照明装置として単独使用に対応できるように優れた外観上の意匠性や装飾性を持たせている。
【００７３】
また、アロマオイルの残量が光学的な検知で確認できるため、上述の実施形態におけるアロマオイル以外に、屈折率が導光レンズと同一あるいは近似した液体であれば、被検知液が肉眼で確認し難い無色透明の液体、電極等の検知部材が浸漬できない有機溶媒や腐食性の高い液体、衛生面で取り扱いに配慮が必要な液体等の種々の液体でも検知対象にすることができる。
【符号の説明】
【００７４】
１…  照明装置
２…  光源（ＬＥＤ）
２ａ…  光出射面
３…  加熱抵抗
４…  アロマオイル
４ａ…  上面
５…  ビーズ部材
５ａ…  上面
１０…  ケース
１１…  底部
１２…  傾斜側壁部
１２ａ…  内周面
１２ａａ…  上部
１２ａｂ…  下部
１２ｂ…  円弧線状パターン
１２ｃ…  上端部
１３…  開口
１４…  凹部
２０…  電子部品実装基板
３０…  反射シート
３０ａ…  上面
３０ｂ…  デザインパターン
３０ｃ…  デザインパターン
４０…  導光レンズ
４１…  平板導光部
４１ａ…  上面
４２…  傾斜導光部
４２ａ…  内周面
４２ａａ…  上部
４２ａｂ…  下部
４２ｂ…  上端面
４２ｄ…  外周面
４２ｄａ…  上部
４３…  凹部
４４…  ＬＥＤ収容部
４４ａ…  外側面
４４ｂ…  上面周縁部
４５…  仕切壁
４５ａ…  上端面
４６…  区画
４６ａ〜４６ｈ…  区画
５０…  カバー
５０ａ…  周縁部
６０…  区画室
６０ａ〜６０ｈ…  区画室
【図１】
2015159074.tif 000003
【図２】
2015159074.tif 000004
【図３】
2015159074.tif 000005
【図４】
2015159074.tif 000006
【図５】
2015159074.tif 000007
【図６】
2015159074.tif 000008
【図７】
2015159074.tif 000009
【図８】
2015159074.tif 000010
【図９】
2015159074.tif 000011
【図１０】
2015159074.tif 000012
【図１１】
2015159074.tif 000013
【図１２】
2015159074.tif 000014